Podtech/llm-jp-corpus-v4-ja_patent huggingface dataset:
(57)【要約】【課題】簡易に食物繊維と乳酸菌を採ることのできるヨーグルトの製造。【解決手段】  コンニャク粉を水で溶き、それを加熱して撹拌しコンニャク糊を作り、そこに牛乳を入れよく撹拌しその温度を乳酸菌の生育する温度約４０度とし、そこに乳酸菌を入れて発酵させて作る、コンニャク糊と牛乳を要素とするヨーグルトを提供する。【特許請求の範囲】
【請求項１】
コンニャク粉を水で溶き、それを加熱して撹拌しコンニャク糊を作り、そこに牛乳を入れよく撹拌しその温度を乳酸菌の生育する温度の約４０度前後とし、そこに乳酸菌を入れて発酵させて作る、コンニャク糊と牛乳を要素とするヨーグルト。
【発明の詳細な説明】
【技術分野】
【０００１】  この発明は、ヨーグルトの要素に牛乳とコンニャク糊を合わせることにより、安価に大量のコンニャクの食物繊維をヨーグルトと共に供給することを目的とする。
【背景技術】
【０００２】  従来、ヨーグルトには果物、アロエなどを入れたヨーグルトがある。
【発明の開示】
【発明が開示しようとする課題】
【０００３】  これには次のような欠点があった。
果物、アロエなどは食物繊維の量としてはさほど多くはなく、また味のえり好みがあり好まれないものもあった。
本発明は、コンニャク糊が無味無臭なので、これらの欠点を除くためになされたものである。
【課題を解決するための手段】
【０００４】  コンニャク粉を水で溶き、それを加熱して撹拌しコンニャク糊を作り、そこに牛乳を入れよく撹拌しその温度を乳酸菌の生育する温度、４０度前後とし、そこに乳酸菌を入れて発酵させて作る、コンニャク糊と牛乳を要素とするヨーグルトを提供する。
【発明の効果】
【０００５】  本発明は、コンニャク糊をそのまま使用するので、市販されているコンニャク特有の悪臭がなく、味もほとんどしないため、ヨーグルトの味を損なうことなく食することが出来ることで、乳酸菌と豊富なコンニャクの食物繊維を採ることが出来る。また糊状の食物繊維を豊富に採ることが出来るため、通常の便通に比べて便量が増加してトイレが楽になる傾向がみられる。
【発明を実施するための最良の形態】
【０００６】  以下、本発明の実施形態について説明する。
コンニャク粉を水で溶き、それを加熱して撹拌しコンニャク糊を作り、そこに牛乳を入れよく撹拌しその温度を乳酸菌の生育する温度約４０度とし、そこに乳酸菌を入れて発酵させて作る、コンニャク糊と牛乳を要素とするヨーグルトを提供する。
(57)【要約】【課題】本発明は、コンテナの株元周辺の土全体を防虫ネットで覆いかぶせないと、害虫が進入し、土の中に卵を産み付けて、月日をかけた貴重な苗木が幼虫によって枯れない様に、薬剤の使用を控えることを提供する。【解決手段】課題を解決するために、防虫ネット（１）が垂れて株元周辺の土（５）が網目を通って、上に上がり害虫が卵を産み付けない様に、ネットの垂れ防止金具（９）の上に、防虫ネット（１）をかぶせる。防虫ネット（１）の大きさは９０ｃｍ×９０ｃｍとし、目合いは４ｍｍ以下として中心部分に株（１１）を通す中心穴（２）を設ける。防虫ネット（１）は、１点の角から直線に中心穴（２）に向けて、カット（３）されている。コンテナ（４）全体を覆いかぶせた防虫ネット（１）が風で捲れ上がらないための、捲れ上がり防止金具（８）を防虫ネット（１）の上から四方に、コンテナ縁の穴（７）または、株元周辺の土（５）に差し込んで使用できることを特徴とする。【選択図】図２
2018064549.tif 000002
【特許請求の範囲】
【請求項１】
防虫ネット（１）が風で捲れ上がらない様に、捲れ上がり防止金具（８）を有し、防虫ネットが垂れて株元周辺の土（５）が網目の上に上がらない様に、防虫ネット垂れ防止金具（９）を有するコンテナ防虫ネット。
【請求項２】
前記、防虫ネット（１）は、株（１１）を差し込む中心穴（２）を設け、１点の角から直線で中心穴（２）に向かってカット（３）されている請求項１に記載のコンテナ防虫ネット。
【請求項３】
前記、捲れ上がり防止金具（８）は、防虫ネット（１）の上から四方にコンテナの縁（６）または、コンテナの縁の穴（７）に差し込んで捲れ上がりを防止する請求項１に記載のコンテナ防虫ネット。
【請求項４】
前記、垂れ防止金具（９）は、防虫ネット（１）が垂れて株元周辺の土（５）が網目の上に上がって、害虫が土に卵を産み付けない様に垂れ防止金具（９）の両端（１０）を株元周辺の土（５）または、コンテナの縁の穴（７）に差し込んで防止する請求項１に記載のコンテナ防虫ネット。
【発明の詳細な説明】
【技術分野】
【０００１】この発明は、野菜とか果樹をコンテナで栽培する際に、薬剤を使用せず土の中に卵を産み付ける害虫の進入を防ぐ、防虫ネットに関するものである。
【背景技術】
【０００２】従来は、害虫が土の中に卵を産み付けない様に、株元の土をかぶせる物があるが、色々な形状のコンテナの株元周辺の土全体を覆いかぶせる物がなかった。
【発明の概要】
【発明が解決しようとしている課題】
【０００３】これは次のような欠点があった。
円形や長方形のコンテナの株元周辺の土全体を覆いかぶせないと害虫が進入してしまい、土の中に卵を産み付けて、月日をかけた貴重な苗木が枯れてしまう欠点がある。また、日頃の土の表面の乾き、水引けの土質状態が直視できず施肥の時の脱着も面倒であった。
本発明は、以上のような欠点をなくすためになされたものである。
【課題を解決するための手段】
【０００４】課題を解決するために、防虫ネット（１）の大きさは９０ｃｍ×９０ｃｍとし、目合いは４ｍｍ以下として中心部分に株（１１）を通す中心穴（２）を設ける。防虫ネット（１）の１点の角から直線に中心穴（２）に向けて、カット（３）されている防虫ネット（１）を、円形や長方形のコンテナ（４）の株元周辺の土（５）全体を覆いかぶせる。風で防虫ネット（１）が捲れ上がるのを防止するために、コンテナの縁（６）の四方に捲れ上がり防止金具（８）を、防虫ネット（１）の上から網目に差し込み、株元周辺の土（５）またはコンテナの縁の穴（７）に差し込む。また、水やりの時に、防虫ネット（１）が垂れて株元周辺の土（５）が網目を通って、上に上がり害虫が卵を産み付けない様に、ネットの垂れ防止金具（９）の両端（１０）を株元周辺の土（５）または、コンテナの縁の穴（７）に差し込んだ上に、防虫ネット（１）をかぶせて課題を解決する。
本発明は、以上の構成よりなるコンテナ防虫ネットである。
【発明の効果】
【０００５】コンテナの株元周辺の土全体をネットで覆っているので、害虫が飛来してきても、容易に土に卵を産み付ける事ができなくなり、苗木が害虫の幼虫で枯れる事を防げ、薬剤の使用を控える効果がある。また、日頃の土の表面の乾き、水引けの土質状態が直視でき、施肥の時の脱着も容易にできて、株元全体に日光が当たる効果がある。
【図面の簡単な説明】
【０００６】
【図１】  本発明の平面図である。
【図２】  本発明の断面図である。
【発明を実施するための形態】
【０００７】以下、本発明を実施するための形態について説明する。
防虫ネット（１）が垂れて株元周辺の土（５）が網目を通って、上に上がり害虫が卵を産み付けない様に、ネットの垂れ防止金具（９）の上に、防虫ネット（１）をかぶせる。防虫ネット（１）の大きさは９０ｃｍ×９０ｃｍとし、目合いは４ｍｍ以下として中心部分に株（１１）を通す中心穴（２）を設ける。防虫ネット（１）の１点の角から直線に中心穴（２）に向けて、カット（３）されている。コンテナ（４）を覆いかぶせた防虫ネット（１）が風で捲れ上がらないための、捲れ上がり防止金具（８）を四方に設けて構成される。
本発明は、以上のような構造である。
これを使用するときは、
（１）防虫ネット（１）の垂れ防止金具（９）の両端（１０）を株元周辺の土（５）または、コンテナの縁の穴（７）に差し込む。
（２）防虫ネット（１）の垂れ防止金具（９）の上に防虫ネット（１）の中心穴（２）を株（１１）に合わせてコンテナを覆いかぶせる。防虫ネット（１）のカット（３）部を重ねる様にして害虫が進入しない様に隙間をなくす。
（３）風で防虫ネット（１）が捲れ上がらない様にコンテナの四方を捲れ上がり防止金具（８）でコンテナの縁（６）または、コンテナの縁の穴（７）に差し込む。
【符号の説明】
【０００８】１    防虫ネット
２    中心穴
３    カット
４    コンテナ
５    株元周辺の土
６    コンテナの縁
７    コンテナの縁の穴
８    捲れ上がり防止金具
９    垂れ防止金具
１０  垂れ防止金具の両端
１１  株
【図１】
2018064549.tif 000003
【図２】
2018064549.tif 000004
(57)【要約】【課題】レーザーで兵器を壊す発明の実施をする事に関する。【解決手段】レーザーで兵器を壊すための、諸々の解決の仕方や理念ついて。【選択図】図１
2018021747.tif 000002
【特許請求の範囲】
【請求項１】
レーザーで兵器を壊す発明。
【請求項２】
遠くから光線で壊す。
【請求項３】
人間を電波で洗脳して阻止。
【請求項４】
ステルス機能を付ける。
【請求項５】
動ける。
【請求項６】
兵器壊す理念を教える。
【請求項７】
特許で守る、真似し難い。
【請求項８】
死生観を教える。
【請求項９】
貴重な人間が育つ様にはする。
【発明の詳細な説明】
【技術分野】
【０００１】本発明は、レーザーで兵器を壊す事に関する、諸々の発明や規則。
【背景技術】
【０００２】近年、核実験等が進み、危険に成って来た。【０００３】図のＡ、Ｂを使い、レーザーで兵器を壊す仕方について。
【発明の開示】
【発明が解決しようとする課題】
【０００４】従来では、衛星写真等の技術も進んで来た。【０００５】本発明は、レーザーで兵器を壊す発明について、また、機能や理念。
【課題を解決するための手段】
【０００６】レーザーで兵器を壊す発明について。
【発明を実施するための最良の形態】
【０００７】図の様なレーザーで兵器を壊す発明の在り方について。
【図面の簡単な説明】
【０００８】
【図１】レーザーで兵器を壊す仕方のやり方。
【符号の説明】
【０００９】  Ａ  兵器を壊す地点や洗脳。
Ｂ  電波の軌道。
【図１】
2018021747.tif 000003
(57)【要約】【課題】  紙や繊維等を簡単に染色する場合には、染色、水洗、乾燥の各作業を２〜３回繰り返した後、定着剤を加えて水洗、乾燥の作業を行う必要があり、非常に手間を要する。【背景技術】紙や繊維等を短時間で簡単に染色でき、かつ、色落ちの少ない染色物を得ることができる染色用顔料に関するものである。【解決手段】  顔料とポリ塩化アルミニウムからなる顔料を用いることで、一度の染色作業で染色することができ、色落ちの少ない染色が可能となる。すなわち、面倒な染色作業の軽減のみならず、顔料を含んだ廃水量の低減にもつながり、排水処理の問題も同時に軽減できる【選択図】  なし【特許請求の範囲】
【請求項１】
本発明は、顔料とポリ塩化アルミニウム（ＰＡＣ）の混合物からなる染色用顔料である。
【請求項２】
顔料に対するポリ塩化アルミニウムの添加量が２〜１０％であることを特徴とする請求項１記載の染色用顔料である。
【請求項３】
顔料が、鉄系の酸化物や水酸化物顔料等であることを特徴とする請求項１記載の染色用顔料である。
【発明の詳細な説明】
【技術分野】
【０００１】
本発明は、紙や繊維等の染色に有効な染色用顔料に関するものである。
【背景技術】
【０００２】
紙や繊維等を短時間で簡単に染色でき、かつ、色落ちが少ないことは、染色顔料において強く求められている。
【０００３】
一般的には、大豆の絞り汁に染色する紙や繊維等を浸し、一旦乾燥した後、顔料を分散させた染色液に浸し、再度乾燥する。この操作を2回から3回繰り替えした後、ミョウバンを溶かした液に浸し、再び乾燥することで、色落ちの少ない染色が達成される。このように、染色は、非常に長い時間と手間のかかる作業である。
【０００４】
上記のような従来の染色方法においては、顔料の分散状態が重要であり、十分に分散させずに染色した場合、色むらが生じてしまう。
【０００５】
また、分散されずに沈降した顔料は、染色に使用されずに廃棄されることになり、着色廃液として、脱色処理等の処理をしないとそのまま廃棄することはできない。
【先行技術文献】
【特許文献】
【０００６】
【特許文献１】特許２６０００２５号公報
【特許文献２】特開昭６１−２３１２８８号公報
【特許文献３】特開平１−１０４８９８号公報
【特許文献４】特開平４−２６３６７８号公報
【特許文献５】特開平６−３１３２７８号公報
【特許文献６】特開平１０−３１０７１８号公報
【特許文献７】特開２００７−１６３６８号公報
【特許文献８】特開２０１０−１４３８９８号公報
【発明の概要】
【発明が解決しようとする課題】
【０００７】
すなわち、水に簡単に分散することができ、かつ、１回の染色作業により被染色物を染色することができ、かつ、乾燥した後も色落ちの少ない染色用の顔料が求められている。
【課題を解決するための手段】
【０００８】
前記技術的課題は、次の通りの本発明によって達成できる。
【０００９】
即ち、本発明は、顔料とポリ塩化アルミニウム（ＰＡＣ）の混合物からなる染色用顔料である（本発明１）。
【００１０】
顔料に対するポリ塩化アルミニウムの添加量が２〜１０％であることを特徴とする請求項１記載の染色用顔料である。（本発明２）
【００１１】
顔料が、鉄系の酸化物や水酸化物顔料等であることを特徴とする請求項１記載の染色用顔料である。（本発明３）
【発明の効果】
【００１２】
本発明に係る染色用顔料を用いることで、顔料を水に簡単に分散することができ、かつ、１回の染色作業により染色することができ、かつ、水洗いによっても脱色のしにくい被染色物を得ることができる。
【００１３】
すなわち、顔料とポリ塩化アルミニウムが混合されていることにより、顔料が水に簡単に分散し、かつ、顔料表面がカチオン性になるため、主にアニオン性の紙や繊維表面への定着性が向上することで、１回の染色作業によっても水洗による脱色性が低下し、十分な染色が可能となる。
【００１４】
例えば、同様なアルミニウム化合物として硫酸アルミニウムがあるが、上記のような効果は見られなかった。
【００１５】
また、カチオン性の水処理剤として、ポリアクリルアミドタイプのものが広く使用されているが、これについても、上記のような効果は見られなかった。
【００１６】
顔料としては、ベンガラや含水酸化鉄等の酸化鉄顔料や、クロムグリーン、酸化チタン、コバルトブルー、カドミウムイエロー等の無機系顔料を広く使用することができる。
【００１７】
また、場合によっては、フタロシアニンブルーやグリーン、キナクリドンレッド、ジスアゾイエロー等の有機系顔料も使用することができる。
【００１８】
顔料に対するポリ塩化アルミニウムの添加量は、２〜１０％が好ましい。２％未満の場合は、繊維への定着効果が少なく、水洗により脱色しやすくなる。  一方、１０％以上の場合は、顔料の分散性が悪くなり、きれいな染色がむつかしくなってしまう。ただし、上記有機系顔料に処理する場合には、比較的添加量は多くすることが必要となる。
【００１９】
顔料とポリ塩化アルミニウムは、特に特殊な装置を使用しなくても、粉どうしを簡単に混合するだけで良い。
【発明を実施するための形態】
【００２０】
まず、本発明において重要な点は、ベンガラや含水酸化鉄等の顔料とポリ塩化アルミニウムが混合された顔料組成物に関するものである。
【実施例】
【００２１】
本発明の代表的な実施の形態は次の通りである。
【００２２】
ベンガラ（市販品クツワ印  ベンガラ  香蘭）２００ｇと、ポリ塩化アルミニウム（市販品ＰＡＣ；大明化学株式会社製）８ｇをポリ袋中で混合する。
次に、染色したい濃度に合わせて、当該顔料を水に分散させる。この際、水は冷水よりも４０〜５０℃程度の温水が好ましい。
【００２３】
染色する布等を上記の顔料を分散させた容器に浸し、手で均等に染色するように十分に揉みほぐす。
【００２４】
次に、水で十分に余分な顔料を洗い流す。この場合、水道水を用いると素早い洗浄が可能となる。その後、天日干しを行う。
【００２５】
乾燥後、必要であれば水洗いを行い、さらに色落ちを防止することもできる。
【産業上の利用可能性】
【００２６】
本発明における、顔料とポリ塩化アルミニウムからなる染色用顔料を用いることで、面倒な染色処理が一度で済むとともに、洗いによる色落ちも少ないことから、簡単に染色することが可能となる。
(57)【要約】【課題】  従来の技術では、気温差による金属屋根板の膨張・収縮に追随できず、金属屋根板の伸び・浮きや変形が生じる課題がある。【解決手段】  屋根下地合板に施工された防水材の上に接着させた水受けに、成形を一切しないロール状の金属屋根板を、そのままの形状で乗せて雨が漏らず、金属屋根材の膨張・収縮に追随しやすくした継ぎ手形状を確保して敷き込む手段を講じている。【選択図】図１
2018021439.tif 000002
【特許請求の範囲】
【請求項１】
屋根下地合板▲１▼に防水材▲２▼を施工し、水受け▲３▼が施工される箇所の防水材▲２▼表面に座板▲４▼を釘やビス等の公知の方法で固定させ、座板▲４▼に水受け用接着剤▲７▼を用いて水受け▲３▼が接着され、水受け▲３▼に金属屋根板用接着剤▲６▼を用いて金属屋根板▲５▼を接着させ、金属屋根板▲５▼を金属屋根板▲５▼の膨張・収縮を見込んだクリアランスを持たせたタコ形状ジョイナー▲８▼に差し込んだことを特徴とした成形不要フラット金属屋根施工法。
【発明の詳細な説明】
【技術分野】
【０００１】  本発明は成形不要のフラット金属板で、簡単に屋根を施工できる施工法に関するものである。
【背景技術】
【０００２】  従来の技術に成形不要のフラット金属板を、同類の技術で行う施工法がある（特許文献１）。
【先行技術文献】
【特許文献】
【０００３】
【特許文献１】  特願２０１５−１８４４６５
【発明の概要】
【発明が解決しようとする課題】
【０００４】  以上に述べた従来の技術では、金属屋根板のジョイント部分にカバー水受けを被せて固定させることにより、気温差による金属屋根板の膨張・収縮に追随できず、金属屋根板の伸び・浮きや変形が生じる課題がある。【０００５】  本発明は、このような従来の技術が抱えている課題を解決しようとするものであり、金属屋根板のジョイント部を金属屋根板の膨張・収縮を見込んだクリアランスを持たせたタコ形状ジョイナーに差し込む事により、金属屋根板の膨張・収縮による金属屋根板の伸び・浮きや変形を防止することを目的とするものである。
【課題を解決するための手段】
【０００６】  本発明は、屋根下地合板に施工された防水材の上に接着させた水受けに、成形を一切しないロール状の金属屋根板を、そのままの形状で乗せて雨が漏らず、金属屋根材の膨張・収縮に追随しやすくした継ぎ手形状を確保して敷き込む手段を講じている。【０００７】  屋根下地合板▲１▼に防水材▲２▼を施工し、水受け▲３▼の施工される箇所の防水材▲２▼表面に、座板▲４▼を釘・ビス等の公知の方法で固定させる。
水受け▲３▼は、水受け用接着剤▲７▼で座板▲４▼に接着され、接着させた水受け▲３▼に、金属屋根板用接着剤▲６▼を用いて金属屋根板▲５▼を接着させる。
金属屋根板▲５▼のジョイント部は、金属屋根板▲５▼をタコ形状ジョイナー▲８▼に差し込むことで、金属屋根板の膨張・収縮に対応した成形不要フラット金属屋根施工法である。
【発明の効果】
【０００８】  金属屋根板に何の成形加工をせず敷き込みが出来て、大幅に搬送と施工コストが削減できる。
また、属屋根板の膨張・収縮に対応できる構造であることから、屋根の維持管理のし易さにも効果を発揮する。【０００９】  金属屋根板▲５▼のジョイント部にタコ形状ジョイナー▲８▼を取り付けることで、金属屋根板▲５▼の膨張・収縮に対応出来る。【００１０】  タコ形状ジョイナー▲８▼から侵入した雨水は、水受け▲３▼の水返しによって漏水が防止される構造となっている。
【図面の簡単な説明】
【００１１】
【図１】本発明の立面断面図
【発明を実施するための形態】
【００１２】  以下、本発明の実施の形態を図１に基づいて説明する。
【００１３】  屋根下地合板▲１▼は乾燥材を使用することを前提で施工を行うことが、最良の施工環境の業態である。
【００１４】  金属屋根板用接着剤▲６▼、水受け用接着剤▲７▼に用いる熱劣化のしない超強力な接着剤は、既に公知の事実として３０年以上の実績を有している。
【００１５】  水受け▲３▼とタコ形状ジョイナー▲８▼は、あらかじめ工場内で数メートルに折り曲げ加工をしておき現場施工を行う。
【実施例１】
【００１６】  公知のマグネット接着による太陽光パネルの施工に利用した本発明の実施例。
【実施例２】
【００１７】  公知の融雪屋根に利用した本発明の実施例。
【実施例３】
【００１８】  水受け用接着剤▲５▼、金属屋根板接着剤▲６▼の全部あるいは、いずれかを防水機能を持たせた接着剤とした本発明の実施例。
【実施例４】
【００１９】  公知の屋上緑化施工に利用した本発明の実施例。
【符号の説明】
【００２０】▲１▼屋根下地合板
▲２▼防水材
▲３▼水受け
▲４▼座板
▲５▼金属屋根板
▲６▼金属屋根板用接着剤
▲７▼水受け用接着剤
▲８▼継ぎ幅
▲９▼タコ形状ジョイナー
【図１】
2018021439.tif 000003
(57)【要約】【課題】  筋交い用ワイヤーの途中にＬ型部材を挿入し、窓枠等の視界を遮らないようにした筋交い用ワイヤーを提供する。【解決手段】  筋交い用ワイヤー（１）の途中にＬ型部材（２）を挿入した筋交い用ワイヤーを特徴とする。【選択図】図１
2018021437.tif 000002
【特許請求の範囲】
【請求項１】
筋交い用ワイヤー（１）の途中にＬ型部材（２）を挿入した筋交い用ワイヤー。
【請求項２】
Ｌ型部材の角部の面積を多くしたＬ型部材（３）
【発明の詳細な説明】
【技術分野】
【０００１】  この発明は、筋交い用ワイヤーの途中にＬ型部材を挿入し、窓等の視野を遮らないようにしたものである。
【背景技術】
【０００２】  従来、補強のために使われる筋交い用ワイヤーは直線である。
【先行技術文献】
【０００３】  筋交い関連の特許文献１，１６４件に類似製品は認められなかった。
【発明の概要】
【発明が解決しようとする課題】
【０００４】  従来、補強を行うための筋交いは、金属ワイヤー等を交叉させたものであった。
そのため、窓枠等の補強を行う際はワイヤーが視界を遮り美観が損なわれた。
本発明はワイヤーの途中にＬ型部材を挿入し、窓枠等に掛からないようにしたものである。
【課題を解決するための手段】
【０００５】  筋交い用のワイヤー（１）の途中にＬ型部材（２）を挿入する。
本発明は、以上の構成により、窓枠等の視界を遮らないようにした筋交い用ワイヤーである。
【発明の効果】
【０００６】  筋交い用のワイヤーの途中にＬ型挿入することのより、窓枠等の視界を遮ることなく筋交いの効果は失われない。
【図面の簡単な説明】
【０００７】
【図１】本発明の平面図である。
【図２】Ｌ型金具の改良図である。
【発明を実施するための形態】
【０００８】  以下、本発明を実施するための形態について説明する。
筋交い用のワイヤー（１）の途中にＬ型金具（２）を挿入する。
本発明は、以上のような構造である。
これは建物などの構造物の地震対策を行うための筋交い用のワイヤーが窓等の視界を遮らずに行うことが出来る。
【符号の説明】
【００９】１．    筋交い用のワイヤー
２．    ワイヤーの途中に挿入したＬ型金具
３．    Ｌ型金具の強化改良
【図１】
2018021437.tif 000003
【図２】
2018021437.tif 000004